(57)【要約】      （修正有）【課題】化粧シートが貼着された壁パネルをボルト、ナット等の連結具で締め付けても、その締め付け力により、かご室内の化粧シートに壁パネルからの遊離部が発生しないエレベータかご室を提供する。【解決手段】外側に折曲縁部６を有すると共に、表面に化粧シート５を貼着した複数枚の壁パネル２をかご床に並べて立設し、その隣接する壁パネル相互を折曲縁部で連結して構成されるエレベータかご室において、折曲縁部に連結用の取り付け穴７を複数個形成すると共に、取り付け穴周囲の所定部位に突起部８を形成し、隣接する折曲縁部間に隙間を設けた。【選択図】図２
2007320736.tif 000002
【特許請求の範囲】
【請求項１】
外側に折曲縁部を有すると共に、表面に化粧シートを貼着した複数枚の壁パネルをかご床に並べて立設し、その隣接する壁パネル相互を上記折曲縁部で連結して構成されるエレベータかご室において、
上記折曲縁部に上記連結用の取り付け穴を複数個形成すると共に、上記取り付け穴周囲の所定部位に突起部を形成し、隣接する上記折曲縁部間に隙間を設けたことを特徴とするエレベータかご室。
【請求項２】
上記突起部が、上記複数個の取り付け穴に形成されていることを特徴とする請求項１記載のエレベータかご室。
【請求項３】
上記突起部が、上記複数個の取り付け穴を任意の数組に区分し、区分された組毎に形成されていることを特徴とする請求項１記載のエレベータかご室。
【請求項４】
上記突起部が、複数個の突起部により構成されていることを特徴とする請求項１〜請求項３のいずれかに記載のエレベータかご室。
【発明の詳細な説明】
【技術分野】
【０００１】
この発明は、エレベータかご室に係り、特に、かご室内の壁パネルの意匠性を損なうことなく据付性を向上させるエレベータかご室に関するものである。
【背景技術】
【０００２】
一般に、エレベータかご室は、昇降路内での据付作業を容易にするために、壁面を複数に分割した鋼板等からなる壁パネルを連結して構成すると共に、かご床とかご床上部に概ね鉛直に配置した壁パネルとその上部にかご床と概ね平行に配置した天井より構成されている。
【０００３】
上記壁パネルの連結部は、壁パネル相互の折曲縁部に設けられた締め付け孔にボルトを通し、ナットを締めることによって連結されるのであるが、壁パネルは、粘着付きの化粧シートを壁パネルの表面と側面の折曲縁部まで張り合わせ１枚の壁パネルとしているので、壁パネルと壁パネルを連結用のボルトとナットで締め付けると、その締め付け力により化粧シートが延びて浮きや押ししわなど、壁パネルからの遊離部がかご室内の化粧シートに発生し、意匠上非常に見栄えが悪くなる問題がある。
【０００４】
壁パネルの合わせ目に目地を設けないかご室では、壁パネルの昇降路側（意匠面と反対側）からＬ字型のスペーサを挿入し、化粧シートの曲げ部が直接押し合わされることを避けることで、化粧シートに浮きが発生せず、優れた意匠面になるようにしている。これは、かご室壁パネルの連結作業を狭い昇降路内でも容易に、かつ合理的に作業を行える（例えば特許文献１参照、）。
【０００５】
また、あわせ目に目地を設けるものにあっても、同様にスペーサが挿入されている（例えば特許文献２参照、）。
【０００６】
【特許文献１】特開平１１−３４９２６１号公報
【特許文献２】特開平０５−３１０３８７号公報
【発明の開示】
【発明が解決しようとする課題】
【０００７】
しかしながら、上記特許文献１に開示された発明におけるスペーサは小さい部品であり、スペーサの取り付けは最終組立段階に行われるため、挿入を忘れて壁パネルを組み立て、かご室内の化粧シートが膨れることにより意匠性を損なってしまったり、取り付け作業時にスペーサを落としたり、無くしてしまったりすることが多々あって、据付作業に思わぬ時間を要することがある。
【０００８】
また、作業自体もかご室から出て、狭い昇降路内で行うため、スペーサを入れ替えるという据付作業は非常に負荷がかかるものになっている。
【０００９】
この発明は上記のような問題を解消することを課題としたもので、化粧シートが貼着された壁パネルをボルト、ナット等の連結具で締め付けても、その締め付け力により、かご室内の化粧シートに壁パネルからの遊離部が発生しないエレベータかご室を提供することを目的とする。
【課題を解決するための手段】
【００１０】
この発明に係るエレベータかご室は、外側に折曲縁部を有すると共に、表面に化粧シートを貼着した複数枚の壁パネルをかご床に並べて立設し、その隣接する壁パネル相互を上記折曲縁部で連結して構成されるエレベータかご室において、上記折曲縁部に上記連結用の取り付け穴を複数個形成すると共に、上記取り付け穴周囲の所定部位に突起部を形成し、隣接する上記折曲縁部間に隙間を設けたことを特徴とするものである。
【発明の効果】
【００１１】
この発明は、化粧シートを貼着した壁パネルを有するエレベータかご室を構成するに際し、意匠性を損なうことなく、据付性を向上させることができるという効果がある。
【発明を実施するための最良の形態】
【００１２】
以下に添付図面を参照して、この発明に係るエレベータかご室について好適な実施の形態を説明する。
【００１３】
実施の形態１．
図１〜図３はこの発明の実施の形態１を説明する図で、図１はエレベータかご室の構成を示す平面図である。この図１に示すように、エレベータかご室は、昇降路内での据付作業を容易にするために、壁面を複数に分割した壁パネル１〜３を連結し、かご床４とかご床４の上部に概ね鉛直に配置した壁パネル１〜３、及び壁パネル１〜３の上部にかご床４と概ね平行に配置した天井（図示せず）から構成されている。壁パネル１〜３は、開口部、即ち、出入り口の左右に配置した前面壁パネル１と、かご室内面と直交する方向に折り曲げた折曲縁部に側面壁パネル連結用の取り付け穴を有する側面壁パネル２、及びかご室の背面に位置し、かご室内面と直交する方向に折り曲げた折曲縁部と、かご室内面と平行方向に側面壁パネル連結用の取り付け穴を有する背面壁パネル３から構成される。なお、壁パネル１〜３の表面には、塩化ビニールをラミネートしたもの、或いは軟質のフィルムシートなどの化粧シート５が貼着されている。
【００１４】
図２は、壁パネルの取り付け面の構造を示す斜視図である。この図２において、壁パネル２には、かご室内面と直交する方向に折り曲げた折曲縁部６が形成され、この折曲縁部６に壁パネル連結用の取り付け穴７が形成されている。そして取り付け穴７の周囲に球面状の突起部８が４個づつ形成されている。なお、取り付け穴７の周囲に突起部８を設けるのは、その部分で締め付けを行うため、その締め付け力が化粧シート５に影響を与え易いためであり、突起部８は取り付け穴７周囲の所定部位に少なくとも１個所形成されていればよい。
【００１５】
突起部８は、図３に示すように、壁パネル２と壁パネル２をボルト９、ナット１０で連結するとき、壁パネル２の相互間に隙間をつくり、この隙間で化粧シート５を浮かせることにより、この隙間で締め付け力によって発生する浮きやしわなどを吸収し、かご室内の化粧シート５に壁パネル２からの遊離部を発生させず、意匠性を確保することが可能となる。
【００１６】
また、従来使用していたスペーサも不要になり、取り付け時間が短縮できると共に、スペーサの落下、紛失などの予定外作業の対応もなくすことが可能となる。
【００１７】
上記のように、実施の形態１によれば、壁パネル連結用の取り付け穴７の周囲に突起部８を形成し、その取り付け穴７にボルト９を通し、ナット１０により壁パネル２と壁パネル２を連結するので、この連結部で化粧シート５が浮き、かご室内の化粧シート５に浮きやしわなどの壁パネルからの遊離部を発生させないようにすることが可能となる。これにより意匠性、据付作業性を向上したエレベータかご室を得ることができる。
【００１８】
実施の形態２．
図４はこの発明の実施の形態２に係る壁パネルの取り付け面の構造を示す図で、（ａ）は部分斜視図、（ｂ）は部分平面図である。この実施の形態では、図４に示すように、化粧シート４０が貼着された壁パネル４１に、かご室内面と直交する方向に折り曲げた折曲縁部４２が形成されている。その折曲縁部４２に取り付け穴４３が形成され、取り付け穴４３の周囲に楕円形状の突起または長楕円形状の突起部４４が形成されている。この突起部４４は長方形状の突起でもよい。なお、その他の構成については、実施の形態１と同様であるので、図示説明を省略する。
【００１９】
なお、図４ではボルト、ナット（いずれも図示せず）による取り付け穴４３の周囲に４箇所の突起部４４を形成しているが、突起部４４は取り付け穴４３の周囲に少なくとも１箇所形成すればよいことは言うまでもない。
【００２０】
以上のように、実施の形態２のようにすることで、壁パネル４１相互を連結する時、壁パネル４１と壁パネル４１の連結部で化粧シート５が浮き、かご室内の化粧シート４０に浮きやしわなど、壁パネル４１からの遊離部が発生せず、意匠性、据付作業性を向上したエレベータかご室を得ることができる。
【００２１】
実施の形態３．
図５はこの発明の実施の形態３に係る壁パネルの取り付け面の構造を示す図で、（ａ）は部分斜視図、（ｂ）は部分平面図である。この実施の形態では、図５に示すように、化粧シート５０が貼着された壁パネル５１に、かご室内面と直交する方向に折り曲げた折曲縁部５２が形成されている。その折曲縁部５２に取り付け穴５３が形成され、この取り付け穴５３が突起部５４に形成されている。なお、その他の構成については、実施の形態１と同様であるので、図示説明を省略する。
【００２２】
以上のように、実施の形態３のようにすることで、壁パネル相互を連結する時、実施の形態１あるいは実施の形態２と同様に連結部で化粧シート５０を浮かせることになる。これによりかご室内の化粧シート５０に浮きやしわなど、壁パネル５１からの遊離部が発生しないようにすることが可能となり、意匠性、据付作業性を向上したエレベータかご室を得ることができる。
【００２３】
実施の形態４．
図６はこの発明の実施の形態４に係る壁パネルの取り付け面の構造を示す図で、（ａ）は斜視図、（ｂ）は（ａ）のＡ−Ａ線断面図、（ｃ）は（ａ）のＢ−Ｂ線断面図である。この実施の形態では、図６に示すように、化粧シート６０が貼着された壁パネル６１には、かご室内面と直交する方向に折り曲げた折曲縁部６２が形成されている。その折曲縁部６２に取り付け穴６３が複数個形成されており、この複数個の取り付け穴６３の全体を突起部６４に設けることで、壁パネル相互を連結した時に、化粧シート６０をその連結部で浮かせるという方法である。なお、その他の構成については、実施の形態１と同様であるので、図示説明を省略する。
【００２４】
即ち、実施の形態３ではボルト、ナット等の締結具による連結部の取り付け穴個々を突起部に形成したが、実施の形態４は、個々の取り付け穴６３でなく取り付け穴６３の全体に対して突起部６４を設けることで、壁パネル６１相互を連結した時に、化粧シート６０を浮かせるという方法である。従って、取り付け穴６３の周囲で発生する締め付け力を、化粧シート６０を押さえる位置を壁の縦方向全体にすることにより、取り付け穴６３の周囲だけでなく折り曲げ部６２の全体に略均一化できることになる。
【００２５】
なお、取り付け穴全体に対して1個の突起部を形成する方法でなくても、複数個の取り付け穴を複数組に区分し、区分された各組に対して１個の突起部を形成する方法もある。例えば、４個のボルト、ナットで取り付ける場合は、図６（ａ）の上部２個の取り付け穴が１つの突起部上にあり、残りの下部２個の取り付け穴を別の突起部上に形成する方法である。このように、複数の取り付け穴を任意組数に区分し、区分された各組に対して１個の突起部を形成すればよい。
【００２６】
以上のように、実施の形態４のようにすることで、壁パネル６１相互を連結する時は、実施の形態１、実施の形態２あるいは実施の形態３と同様に連結部で化粧シート６０を浮かせることになる。これによりかご室内の化粧シート６０に浮きやしわなど、壁パネル６１からの遊離部が発生しないようにすることが可能となり、意匠性、据付作業性を向上したエレベータかご室を得ることができる。
【００２７】
なお、実施の形態１あるいは実施の形態２では、取り付け穴の周囲に突起部を形成し、実施の形態３あるいは実施の形態４では、取り付け穴を突起部に形成しているように、突起部は、取り付け穴の任意部位に形成すればよい。また、上記各実施の形態においては、隣接する特定の壁パネル相互を連結する場合について説明したが、隣接する他の壁パネル相互を連結する場合でも同様であり、隣接する壁パネル相互の連結部で化粧シートを浮かせ、かご室内の化粧シートに浮きやしわなど、壁パネルからの遊離部が発生しないようにする具体例については、この発明の主旨を逸脱しない範囲で諸種の設計的変更が考えられる。
【産業上の利用可能性】
【００２８】
この発明に係るエレベータかご室は、意匠性を損なうことなく、据付性を向上させるエレベータかご室へ利用できる。
【図面の簡単な説明】
【００２９】
【図１】この発明の実施の形態１によるエレベータかご室の構成を示す平面図である。
【図２】この発明の実施の形態１による壁パネルの取り付け面の構造を示す斜視図である。
【図３】この発明の実施の形態１による壁パネルの連結部を示す平面図である。
【図４】この発明の実施の形態２による壁パネルの取り付け面の構造を示す図である。
【図５】この発明の実施の形態３による壁パネルの取り付け面の構造を示す図である。
【図６】この発明の実施の形態４による壁パネルの取り付け面の構造を示す図である。
【符号の説明】
【００３０】
１〜３、４１、５１、６１  壁パネル
４  かご床
５、４０、５０、６０  化粧シート
６、４２、５２、６２  折曲縁部
７、４３、５３、６３  取り付け穴
８、４４、５４、６４  突起部
９  ボルト
１０  ナット
【図１】
2007320736.tif 000003
【図２】
2007320736.tif 000004
【図３】
2007320736.tif 000005
【図４】
2007320736.tif 000006
【図５】
2007320736.tif 000007
【図６】
2007320736.tif 000008